(57)【要約】  【課題】レンタル品収納ケースにおいて、そのケースに装着したラベルの剥離や汚損を防ぎつつ、これを容易に除去できるようにすることにより、ケースの廃棄処分時におけるラベルの除去作業を簡易なものとして再生資源としての利用の促進化を図ることである。  【解決手段】ケース本体１２と、その一辺にヒンジ部１４により開閉自在に連結されたフタ部１３を有するレンタル品の収納ケースにおいて、前記フタ部１３の内面にラベル２６の側辺に対応した係合爪２５ａ、２５ｂを設けることによってラベル装着部２２を構成し、前記ラベル装着部２２にラベル２６をその記載面を向けて重ね、そのラベル２６の側辺を前記係合爪２５ａ、２５ｂに係合保持させた構成とした。【選択図】図２
2010254344.tif 000002
【特許請求の範囲】
【請求項１】
ケース本体と、その一辺にヒンジ部を介して開閉自在に連結されたフタ部を有し、前記ケース本体又はフタ部にラベル装着部を設け、そのラベル装着部に当該レンタル品に関する所要の記載がなされたラベルを装着したレンタル品収納ケースにおいて、前記ラベル装着部を前記ケース本体又はフタ部の内面に設け、前記ラベル装着部を設けたケース本体又はフタ部の少なくとも当該ラベル装着部を透明に形成し、前記ラベル装着部を前記ラベルの側辺に対応して設けた係合部により構成し、その係合部に前記ラベルを係合保持させたことを特徴とするレンタル品収納ケース。
【請求項２】
前記係合部は、前記ラベルの対向する２側辺に対応して少なくとも２個所に設けられたことを特徴とする請求項１に記載のレンタル品収納ケース。
【請求項３】
前記係合部が、係合爪若しくは係合リブにより、又はこれらの組み合わせにより構成されたことを特徴とする請求項１又は２に記載のレンタル品収納ケース。
【請求項４】
前記ラベル装着部が、前記ケース本体又はフタ部のコーナ部に設けられたことを特徴とする請求項１から３のいずれかに記載のレンタル品収納ケース。
【請求項５】
前記ラベルが、印刷シートと、その裏面に接着されこれより大きいサイズの保護シートによって構成され、前記保護シートを前記係合部に係合保持させたことを特徴とする請求項１から４のいずれかに記載のレンタル品収納ケース。
【請求項６】
前記ラベルが、印刷シート、その裏面に接着されこれより大きいサイズの保護シート、及びその保護シートの一側辺に折り目を介して設けられたカバーシートによって構成され、前記印刷シートを挟んで保護シートとカバーシートを前記折り目において二つ折に折り重ね、その折り重ねた状態のラベルを前記係合部に係合保持させたことを特徴とする請求項１から４のいずれかに記載のレンタル品収納ケース。
【請求項７】
前記ラベルが、印刷シート、その裏面に接着されこれより大きいサイズの保護シート、及びその保護シートの両側辺に折り目を介して設けられたカバーシートによって構成され、前記印刷シートを挟んで保護シートとカバーシートを前記折り目において折り重ね、その折り重ねた状態のラベルを前記係合部に係合保持させたことを特徴とする請求項１から４のいずれかに記載のレンタル品収納ケース。
【発明の詳細な説明】
【技術分野】
【０００１】
この発明は、レンタル品収納ケースに関し、特に、使用済み後における再生資源としての利用の促進を図るものである。
【背景技術】
【０００２】
レンタル店において使用されるＣＤ、ＤＶＤ、ブルーレイディスクなどのレンタル品の収納ケースは、透明樹脂製の扁平なケースであり、浅い箱形のケース本体と、その内側に嵌る浅い箱形のフタ部をＶ形溝のヒンジ部において連結したものが一般に使用されている（特許文献１参照）。
【０００３】
添付の図１０（ａ）（ｂ）に示したように、前記従来の収納ケース１には、レンタル業務の必要上、収納物であるＤＶＤ等のレンタル品２の内容その他を印刷によって記載した紙製のラベル３が装着される。ラベル３の記載内容は、様々であるが、例えば、レンタル品のタイトル、制作者、発売開始日、店名、管理番号これらの内容を含んだバーコード等を含む。
【０００４】
前記のラベル３は、レンタル店の店員や、顧客に見え易いように、フタ部４の表面に定めた所定の装着部に貼り付けられる。さらに、そのラベル３の剥離や汚損を避けるために、ラベル３の表面とその周辺のフタ部４にわたる範囲をカバーする大きさのカバーフィルム５を貼り重ねるようにしている。
【先行技術文献】
【特許文献】
【０００５】
【特許文献１】特開２００９−２９５０５号公報（図１）
【発明の概要】
【発明が解決しようとする課題】
【０００６】
前記のレンタル品収納ケース１は、所要の使用期間が経過した場合等において廃棄処分されるが、その際、再生資源としての利用の支障とならないように、収納ケース１と材質の異なるラベル３を剥離することが求められる。
【０００７】
しかし、前記ラベル３は、フタ部４の表面（外面）に接着され、さらにその上面にカバーフィルム５が強固に接着されているため、これらを剥離する作業は、甚だ難儀であり手間の要する作業となる。このことが、前記収納ケース１の再生資源としての利用の促進を阻む一因となっている。
【０００８】
そこで、この発明は、レンタル品収納ケースにおいて、その使用時はラベルの剥離や汚損を防ぎ、また、その廃棄処分時はラベルの除去作業が容易に行えるようにして再生資源としての利用の促進を図ることを課題とする。
【課題を解決するための手段】
【０００９】
前記の課題を解決するために、この発明は、ケース本体と、その一辺にヒンジ部を介して開閉自在に連結されたフタ部を有し、前記ケース本体又はフタ部にラベル装着部を設け、そのラベル装着部に当該レンタル品に関する所要の記載がなされたラベルを装着したレンタル品収納ケースにおいて、前記ラベル装着部を前記ケース本体又はフタ部の内面に設け、前記ラベル装着部を設けたケース本体又はフタ部の少なくとも当該ラベル装着部を透明に形成し、前記ラベル装着部を前記ラベルの側辺に対応して設けた係合部により構成し、その係合部に前記ラベルを係合保持させた構成とした。
【００１０】
前記構成のレンタル品収納ケースにおいては、ラベルの記載事項を透明なラベル装着部を通して読み取ることができる。また、当該ケースの廃棄処分時においてラベルを除去する場合は、ラベル装着部に係合されたラベルを外すことによりこれを除去する。
【発明の効果】
【００１１】
以上のように、この発明に係るレンタル品収納ケースは、ラベル装着部をケース本体又はフタ部の内面に設けたことにより、そこに装着されたラベルに顧客や店員が直接触れることがないのでラベルの剥離や汚損のおそれがなく、長期にわたりきれいな状態を保つことができる。また、当該ケースの廃棄処分時においては、前記ラベル装着部に係合されたラベルをその係合部から単に外すだけで容易に除去できるので、廃棄品の再生利用の促進を図ることができる。
【図面の簡単な説明】
【００１２】
【図１】は、実施形態のレンタル品収納ケースの斜視図である。
【図２】は、同上の開放状態の斜視図である。
【図３】（ａ）は、同上のラベル装着部の一部拡大斜視図、（ｂ）は、ラベル装着部の一部拡大断面図、（ｃ）は、ラベル装着部の他の部分の一部拡大断面図である。
【図４】（ａ）は、同上の縦断側面図、（b）は、（ａ）の一部拡大断面図である。
【図５】（ａ）は、同上のラベルの拡大平面図、（ｂ）は、前記ラベルの装着状態の断面図である。
【図６】（ａ）は、同上のラベルの変形例の拡大平面図、（ｂ）は、前記ラベルの折り畳み途中の拡大正面図、（ｃ）は、前記ラベルの装着状態の断面図である。
【図７】（ａ）は、同上のラベルの他の変形例の拡大平面図、（ｂ）は、前記ラベルの折り畳み途中の拡大正面図、（ｃ）は、前記ラベルの装着状態の断面図である。
【図８】（ａ）から（ｃ）は、ラベル装着部の変形例を示す一部拡大断面図である。
【図９】（ａ）（ｂ）は、ラベル装着部の他の変形例を示す一部拡大断面図である。
【図１０】（ａ）は、従来例のレンタル品収納ケースの斜視図、（ｂ）は、（ａ）の一部拡大断面図である。
【発明を実施するための形態】
【００１３】
以下、この発明の実施形態を添付図面に基づいて説明する。図１及び図２に示したように、実施形態のレンタル品収納ケース１１は、透明樹脂の成形品であり、浅い箱形のケース本体１２とその内側に嵌る浅い箱形のフタ部１３をヒンジ部１４において開閉自在となるように連結したものである。ヒンジ部１４は、連結部分にＶ形溝を形成し、屈曲自在としたものである。
【００１４】
ケース本体１２の中心部には、これに収納されるディスク１５のセンター穴に対する嵌合部１６が設けられる。その外周に内周支持リブ１７、周壁に沿って外周支持リブ１８が設けられる。
【００１５】
ケース本体１２の開放端部（ヒンジ部１４と反対側）に施錠部半体１９ａが一体に設けられ、フタ部１３の開放端部に他方の施錠部半体１９ｂが一体に設けられる。フタ部１３をケース本体１２に対して閉鎖すると、施錠部半体１９ａと１９ｂが相互に組み合わされて施錠部１９（図１、図４（ａ）参照）が形成される。施錠部１９に施錠部材２１が挿入され、これによってフタ部１３をケース本体１２に対し施錠し、無断開放を禁ずる。これを解錠するには、店舗で管理された特別の解錠装置を用いなければならない。
【００１６】
図１及び図２に示したように、フタ部１３の内面において、その開放端側の１個所のコーナ部にラベル装着部２２が設けられる。このラベル装着部２２は、前記のコーナ部を構成する２つの壁面２３、２４（図２参照）にそれぞれ１つずつ係合爪２５ａ、２５ａが設けられ、これらの各壁面２３、２４に平行な位置の２個所にそれぞれ係合爪２５ｂ、２５ｂが１つずつ設けられる。これらの４個所の係合爪２５ａ、２５ｂは、四角形の各一辺に沿うように配置され、それらの内側で四角形のラベル２６を係合保持する。
【００１７】
前記２個所の壁面２３、２４に設けられた係合爪２５ａは、図３（ａ）（ｂ）に示したように、ラベル装着部２２の面（フタ部１３の内面）からラベル２６の厚さに若干の余裕をもった高さにおいて壁面２３、２４から内方に突き出して形成される。これらの係合爪２５ａに対応して、その投影面積より若干大きい矩形穴でなる型抜き穴２７が設けられる。
【００１８】
前記係合爪２５ａは、壁面２３，２４から内方に突き出して形成されることにより、その下面とフタ部１３の内面との間に係合凹部２８が形成され、その係合凹部２８にラベル２６の一側辺が係合される。
【００１９】
前記２個所の係合爪２５ａにそれぞれ対向した２個所の係合爪２５ｂは、図３（ａ）（ｃ）に示したように、前記ラベル装着部２２の面から立ち上がり、対向する壁面２３、２４方向に屈曲した逆Ｌ形のものである。逆Ｌ形に屈曲していることにより係合凹部２８が形成され、その係合凹部２８にラベル２６の他の一側辺が係合される。
【００２０】
図１及びその断面図である図４（ａ）（ｂ）に示したように、収納ケース１１にディスク１５を収納し、フタ部１３を閉鎖した状態においては、フタ部１３の表面に前記の型抜き穴２７が４個所に現れる。その型抜き穴２７に囲まれたラベル装着部２２に装着されたラベル２６の記載事項を透明なフタ部１３を通して見ることができる。
【００２１】
前記のラベル装着部２２を設ける位置は、フタ部１３のコーナ部に限らず、コーナ部から離れた位置に設けてもよい。その場合は、すべての係合爪が、逆Ｌ形の係合爪２５ｂによって構成される。その他の変形例として、各辺に２個所以上の係合爪を設ける場合もある。
【００２２】
また、ラベル装着部２２をケース本体１２の適宜位置に設ける場合もある。その場合はケース本体１２の全体又は少なくともラベル装着部２２は、透明に形成される。
【００２３】
収納ケース１１の構成によっては、どちらがケース本体１２かフタ部１３かの区別のつき難い場合もあるが、本発明はそのような場合の収納ケース１１を構成する一対のケース半体の一方をケース本体１２と称し、他方をフタ部１３と称する。
なお、ラベル装着部２２の他の変形例については後述する。
【００２４】
図５（ａ）は、前記ラベル２６の一例であり、紙等の印刷シート３１の裏面に、これより一回り大きい樹脂製の保護シート３２を接着したものである。印刷シート３１の記載面には、当該ディスク１５の内容のタイトル、制作者、発売開始日、店名、管理番号等の文字表記３４、及びこれらの内容を含んだバーコード３３等が印刷されている。
【００２５】
前記のラベル２６は、図５（ｂ）に示したように、その記載面を下向きにして前記のラベル装着部２２に差し込み、そのラベル２６の４側辺を各係合爪２５ａ、２５ｂの係合凹部２８に係合させることにより保持される。この場合、ある程度の弾性を有する樹脂製の保護シート３２を係合凹部２８の奥壁に押し当てることにより、ラベル２６の移動を防止することができる。
【００２６】
印刷シート３１の記載面が透明のラベル装着部２２、即ち、フタ部１３の内面に接するので、顧客はフタ部１３の表面（外面）から、その文字表記３４を読むことができ、また、店舗の従業員はバーコードリーダによってバーコード３３を読み取ることができる。
【００２７】
図６（ａ）はラベル２６の変形例であり、図５（ａ）に示したものの保護シート３２に折り目３５を介して、その保護シート３２と同じ大きさの透明のカバーシート３６を設けたものである。印刷シート３１に保護シート３２が接着されることは前記の場合と同様である。
【００２８】
この場合は、図６（ｂ）で示したように、印刷シート３１を挟んで保護シート３２とカバーシート３６を折り目３５の部分で二つ折りに折り重ねる。その折り重ねた状態のラベル２６を、ラベル装着部２２に差し込む。ラベル装着部２２において、ラベル２６の４側辺をそれぞれ４か所の係合爪２５ａ、２５ｂの係合凹部２８に係合保持させる（図６（ｃ）参照）。
【００２９】
この場合は、印刷シート３１の記載面がカバーシート３６によって保護され、また、折り目３５の部分における弾性によってラベル２６が各係合凹部２８に押し当てられることにより、安定よく係合保持される。
【００３０】
図７（ａ）はラベル２６の変形例であり、図６に示したラベル２６は、保護シート３２に折り目３５を介して、その保護シート３２と同じ大きさの透明のカバーシート３６を設けているが、図７の例は、図７（ａ）に示すように、カバーシート３６を、保護シート３２の両側に折り目３５を介して、その保護シート３２よりも小さい大きさの透明のカバーシート３６を設けたものである。印刷シート３１に保護シート３２が接着されることは前記の場合と同様である。
【００３１】
この場合は、図７（ｂ）で示したように、印刷シート３１を挟んで保護シート３２と両側のカバーシート３６を折り目３５の部分で折って折り重ねる。その折り重ねた状態のラベル２６を、ラベル装着部２２に差し込む。ラベル装着部２２において、ラベル２６の４側辺をそれぞれ４か所の係合爪２５ａ、２５ｂの係合凹部２８に係合保持させる（図７（ｃ）参照）。
【００３２】
この図７の場合も、図６の場合と同様に、印刷シート３１の記載面がカバーシート３６によって保護され、また、折り目３５の部分における弾性によってラベル２６が各係合凹部２８に押し当てられることにより、安定よく係合保持される。
【００３３】
図５、図６及び図７に示したいずれのラベル２６も、フタ部１３の内面に装着されるので、店舗等における取り扱い時において、ラベル２６が剥離したり汚れたりすることがない。また、ラベル２６は、フタ部１３に対して接着されることがなく、単に係合爪２５ａ、２５ｂに係合されるだけであるから、収納ケース１１の廃棄時は、そのラベル２６を容易に取り外すことができる。したがって、収納ケース１１の再生利用の促進に寄与することができる。また、使用途中で収納品を入れ替えた場合においても、その収納品に合わせたラベル２６に容易に取り替えることができる。
【００３４】
次に、前述したラベル装着部２２の他の諸例を図８及び図９に基づいて説明する。
【００３５】
図８（ａ）に示したラベル装着部２２は、前記のコーナ部を形成する一方の壁面２３の係合爪２５ａを無くして、１個の係合爪２５ａと２個の係合爪２５ｂ、２５ｂの３個の係合爪により構成したものである。ラベル２６は、その３側辺において前記の係合爪２５ａ、２５ｂ、２５ｂによって係合され、他の１側辺においては単に壁面２３に押し当てられるだけである。前述のように、保護シート３２は弾性を有しているので、その弾性を利用して当該壁面２３に押し当てることにより、壁面２３の部分から外れることを防止する。
【００３６】
図８（ｂ）及び図８（ｃ）に示したラベル装着部２２は、いずれも対向した２個所にある係合爪２５ａ、２５ｂによって構成したものである。いずれの場合も、コーナ部を形成する一方の壁面２３又は２４にラベル２６の一側辺を当てているが、その側辺に対向した他の一側辺は何らの係合部はない。しかし、保護シート３２の弾性によって、対向２個所の係合爪２５ａ、２５ｂにおいて係合保持される。
【００３７】
以上の図８（ａ）から（ｃ）は、係合爪２５ａ、２５ｂは少なくとも、対向位置の２個所に存在するだけでも、ラベル２６を係合保持できることを示している。また、コーナ部を形成する一方の壁面２３又は２４にラベル２６の一側辺を押し当てることにより、ある程度の係合力が得られることも示している。
【００３８】
次に、図９（ａ）は、前記の係合爪２５ａに代えて、ラベル２６の一側辺と同程度の長さをもった係合リブ２５ｃをコーナ部を形成する２個所の壁面２３、２４に設けた場合を示している。これらに対向して設けられた係合爪２５ｂは前記の諸例と同様である。係合リブ２５ｃとフタ部１３の内面との間には、全長にわたり係合凹部２８が形成される。
【００３９】
図９（ｂ）の場合は、係合リブ２５ｃを各壁面２３、２４に設ける点では、前記の図９（ａ）と同様であるが、前記の２個所の係合爪２５ｂに代えて、平面視がＬ形の屈曲リブ２５ｄを設けている。この屈曲リブ２５は、係合凹部２８は存在せず、ラベル２６の角部をその内側に押し当てるようにしたものである。
【００４０】
以上の図９（ａ）（ｂ）は、ラベル２６を係合保持するものは、係合爪２５ａ、２５ｂのような爪形のものに限らず、リブ形のものでもよいことを示している。また、係合爪２５ａ、２５ｂ同士を対向させるだけでなく、爪形のものとリブ形のものを対向させてもよいことを示している。
【００４１】
前記の係合爪２５ａ、２５ｂ、係合リブ２５ｃのように、係合凹部２８を有するものは、それ自体でラベル２６を係合保持する機能を有する。これに対し、屈曲リブ２５ｄ、壁面２３、２４のように、係合凹部２８に相当する部分が無いものは、それ自体でラベル２６を係合保持する機能はないが、ラベル２６の弾性によってラベル２６の側辺が押し当てられることにより、そのラベル２６を係合保持することができる。この場合は、ラベル２６との共同作用によって係合保持する機能を有するということができる。
【００４２】
「特許請求の範囲」においては、前記のようにそれ自体で係合保持する機能を有するもの、ラベル２６との共同作用によって係合保持する機能を有するもののいずれの場合も「係合部」と総称している。
【符号の説明】
【００４３】
１１  収納ケース
１２  ケース本体
１３  フタ部
１４  ヒンジ部
１５  ディスク
１６  嵌合部
１７  内周支持リブ
１８  外周支持リブ
１９  施錠部
１９ａ  施錠部半体
１９ｂ  施錠部半体
２１  施錠部材
２２  ラベル装着部
２３  壁面
２４  壁面
２５ａ、２５ｂ  係合爪
２５ｃ  係合リブ
２５ｄ  屈曲リブ
２６  ラベル
２７  型抜き穴
２８  係合凹部
３１  印刷シート
３２  保護シート
３３  バーコード
３４  文字表記
３５  折り目
３６  カバーシート
【図１】
2010254344.tif 000003
【図２】
2010254344.tif 000004
【図３】
2010254344.tif 000005
【図４】
2010254344.tif 000006
【図５】
2010254344.tif 000007
【図６】
2010254344.tif 000008
【図７】
2010254344.tif 000009
【図８】
2010254344.tif 000010
【図９】
2010254344.tif 000011
【図１０】
2010254344.tif 000012
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
ケース本体と、その一辺にヒンジ部を介して開閉自在に連結されたフタ部を有し、ケース本体の開放端部に施錠部半体を一体に設け、フタ部の開放端部に他方の施錠部半体を一体に設け、フタ部をケース本体に対して閉鎖することにより、施錠部半体が相互に組み合わされて施錠部が形成され、この施錠部に施錠部材を挿入してフタ部をケース本体に対し施錠するレンタル品収納ケースにおいて、前記ケース本体又はフタ部の内面にラベル装着部を設け、前記ラベル装着部に当該レンタル品に関する所要の記載がなされたラベルを装着し、前記ラベル装着部を設けたケース本体又はフタ部の少なくとも当該ラベル装着部を透明に形成し、前記ラベル装着部を前記ラベルの側辺に対応して設けた係合爪により構成し、前記ケース本体又はフタ部の表面に前記係合爪に対応する型抜き穴を設け、前記ラベルが、印刷シート、その裏面に接着されこれより大きいサイズの樹脂製の保護シート、及びその保護シートの一側辺に折り目を介して設けられたカバーシートによって構成され、前記印刷シートを挟んで保護シートとカバーシートを前記折り目において二つ折に折り重ね、その折り重ねた状態のラベルを前記係合爪に係合保持させたことを特徴とするレンタル品収納ケース。
【請求項２】
ケース本体と、その一辺にヒンジ部を介して開閉自在に連結されたフタ部を有し、ケース本体の開放端部に施錠部半体を一体に設け、フタ部の開放端部に他方の施錠部半体を一体に設け、フタ部をケース本体に対して閉鎖することにより、施錠部半体が相互に組み合わされて施錠部が形成され、この施錠部に施錠部材を挿入してフタ部をケース本体に対し施錠するレンタル品収納ケースにおいて、前記ケース本体又はフタ部の内面にラベル装着部を設け、前記ラベル装着部に当該レンタル品に関する所要の記載がなされたラベルを装着し、前記ラベル装着部を設けたケース本体又はフタ部の少なくとも当該ラベル装着部を透明に形成し、前記ラベル装着部を前記ラベルの側辺に対応して設けた係合爪により構成し、前記ケース本体又はフタ部の表面に前記係合爪に対応する型抜き穴を設け、前記ラベルが、印刷シート、その裏面に接着されこれより大きいサイズの樹脂製の保護シート、及びその保護シートの両側辺に折り目を介して設けられたカバーシートによって構成され、前記印刷シートを挟んで保護シートとカバーシートを前記折り目において折り重ね、その折り重ねた状態のラベルを前記係合爪に係合保持させたことを特徴とするレンタル品収納ケース。